(57)【要約】【課題】押締型とネジ締型の両方の端子台に兼用でき、かつ配線が容易な端子台用ショートピースを提供する。【解決手段】両先端部を除き絶縁材料で被覆されたＵ字形状の導電性部材１１と、一方が導電性部材１１の一方の先端部に電気的に接続され、他方が導電性部材１１の他方の先端部に電気的に接続された一対の円板状部材１２とを備え、端子台２上の互いに電気的に絶縁された２つの端子の真上に円板状部材１２をそれぞれ端子に接触するように勘合することで２つの端子間を短絡する。【選択図】図１
2007329085.tif 000002
【特許請求の範囲】
【請求項１】
両先端部を除き絶縁材料で被覆されたＵ字形状の導電性部材と、
一方が前記導電性部材の一方の先端部に電気的に接続され、他方が該導電性部材の他方の先端部に電気的に接続された一対の円板状部材と、を備え、
端子台上の互いに電気的に絶縁された２つの端子の真上に前記円板状部材をそれぞれ該端子に接触するように勘合することで該２つの端子間を短絡する、
ことを特徴とする端子台用ショートピース。
【請求項２】
前記一対の円板状部材の部材間の間隔は、前記２つの端子間の間隔より所定長だけ大きいかまたは小さい、
請求項１に記載の端子台用ショートピース。
【請求項３】
前記一対の円板状部材の各部材は突起部を設けている、
請求項１または２に記載の端子台用ショートピース。
【発明の詳細な説明】
【技術分野】
【０００１】
本発明は端子台用ショートピースに関し、特に、電気機器および電気設備等に使用される押締型端子台において隣接する端子間を容易に短絡させる端子台用ショートピースに関する。
【背景技術】
【０００２】
図７は従来技術による押締型端子台の斜視図である。図７に示す押締型端子台は、押締型端子台７０において隣接する端子間を短絡させる場合、短絡用の線材（電線）７１を予め加工して準備しておく必要がある。
【０００３】
図８は従来技術のネジ締型端子台の斜視図である。図８に示すネジ締型端子台８０は、ネジ締型端子台８０において隣接する端子間を短絡させる場合、二股型のショートピース８１を予め準備しておく必要があり、ネジ締型端子台８０はネジ端子との勘合を考慮した形状のため押締型端子台の勘合部に合わないのでショートピース８１を押締型とネジ締型に兼用できない。また、ネジ締めを行わないと、ショートピース８１を固定できない。
【０００４】
特許文献１に記載の押締型の接続端子台５は、ネジの締め付け作業を必要とすることなく、丸型端子2等の接続部への固定や電気的な接続を容易にすることを目的とし、次のように構成されている。丸型端子２を端子台本体５の挿入孔５ａに挿入し、その状態で端子固定子１の押圧部１ａを丸型端子２側に押込み、先端部１ｄを丸型端子２の止め穴に挿通する。この状態で押えバネ３を端子台本体５のスリット孔５ｂに押込むと、押えバネ３の凸部３ａによって端子固定子１が丸型端子２側に付勢される。よって、丸型端子２の接触面は端子固定子１によって端子台側端子４に押圧され、丸型端子２と端子台側端子４とが電気的に接続する（図１参照）。
【０００５】
【特許文献１】特開０９−１４７９３３号公報（明細書の段落[０００６]、[０００７]、[００１５]〜[００１７]、特許請求の範囲、図１および要約書参照）
【発明の開示】
【発明が解決しようとする課題】
【０００６】
しかしながら、特許文献１に記載の押締型の接続端子台は、短絡用に線材または二股型ショートピースの両端に丸端子を圧着したものを予め準備し、端子台側でこの短絡用の線材または二股型ショートピースの一方の丸端子と他の配線用の線材の先端部に丸端子を圧着したものを共に、つまり２つの電線を１つの端子で固定する必要があり、配線がし難いという問題がある。また、短絡用の線材および二股型ショートピースは、押締型とネジ締型の両方の端子台に兼用できないという問題がある。
【０００７】
したがって、本発明は上述した問題を解決し、押締型とネジ締型の両方の端子台に兼用でき、かつ配線が容易な端子台用ショートピースを提供することを目的とする。
【課題を解決するための手段】
【０００８】
上記目的を達成する本発明による端子台用ショートピースは、両先端部を除き絶縁材料で被覆されたＵ字形状の導電性部材と、一方が前記導電性部材の一方の先端部に電気的に接続され、他方が該導電性部材の他方の先端部に電気的に接続された一対の円板状部材と、を備え、端子台上の互いに電気的に絶縁された２つの端子の真上に前記円板状部材をそれぞれ該端子に接触するように勘合することで該２つの端子間を短絡する、ことを特徴とする。
【０００９】
上記端子台用ショートピースにおいて、前記一対の円板状部材の部材間の間隔は、前記２つの端子間の間隔より所定長だけ大きいかまたは小さい。
【００１０】
上記端子台用ショートピースにおいて、前記一対の円板状部材の各部材は突起部を設けている。
【発明の効果】
【００１１】
請求項１に記載の発明は、Ｕ字形状の導電性部材と、一方が導電性部材の一方の先端部に電気的に接続され他方が導電性部材の他方の先端部に電気的に接続された一対の円板状部材とを備えたショートピースを端子に勘合するよう構成されるので、押締型とネジ締型の両方の端子台に兼用でき、かつ配線が容易な端子台用ショートピースを提供できる。
【００１２】
請求項２に記載の発明は、２つの円板状部材間の間隔を端子の間隔と異ならしめることにより、円板状部材を端子に密着するよう勘合できる。
【００１３】
請求項３に記載の発明は、突起部を設けることにより、円板状部材を端子に確実に密着するように勘合でき、また、円板状部材を端子に勘合するガイドとなり、円板状部材の端子への取付けが容易となる。
【発明を実施するための最良の形態】
【００１４】
以下、添付図面を参照しつつ本発明の実施形態を詳細に説明する。
図１は本発明の第１実施形態に係る端子台用ショートピースを示す図であり、（Ａ）はショートピースを示す図であり、（Ｂ）は端子台を示す図であり、（Ｃ）はショートピースを端子台に取り付けた状態を示す図である。図１の（Ａ）に示す第１実施形態に係る端子台用のショートピース１は、導電性部材１１と一対の円板状部材１２とを有する。導電性部材１１は、例えば銅の撚り線からなるＵ字形状の導電性部材であって両先端部を除きポリ塩化ビニール樹脂等の絶縁材料で被覆されている。一対の円板状部材１２の一方は、導電性部材１１の一方の先端部に電気的に接続され、他方は導電性部材１２の他方の先端部に電気的に接続されている。このショートピース１は、プレス機を用いてダイの上に打ち抜き材を載せてパンチで打ち抜けば安価に製造できる。以下に記すショートピースも同様にパンチで打ち抜いて製造できる。
【００１５】
図１の（Ｂ）には複数の端子を有する端子台２の２つの端子を斜め上方から見た図が示されている。各端子のネジ部２１の真上は空洞２２となっている。各端子の金属からなるネジ部２１の真下に電線（不図示）が挿入されネジ部２１の溝２１ａをマイナスのドライバ等を用いてネジ部２１を回転することでネジ部２１で該電線を締付け該電線を端子に電気的に接続できる。
【００１６】
図１の（Ｃ）に示すように、端子台２上の互いに電気的に絶縁された２つの端子のネジ部２１の真上の空洞２２に図１の（Ａ）に示す円板状部材１２をそれぞれ挿入し端子に接触するように勘合することでこれら２つの端子間を短絡することができる。
【００１７】
本発明の第１実施形態に係る端子台用ショートピース１によれば、Ｕ字形状の導電性部材１１と、一方が導電性部材１１の一方の先端部に電気的に接続され他方が導電性部材１１の他方の先端部に電気的に接続された一対の円板状部材１２とを備えたショートピース１を端子２に勘合するよう構成されるので、押締型とネジ締型の両方の端子台に兼用でき、かつ配線が容易な端子台用ショートピースを提供できる。
【００１８】
図２は端子台の一端子を拡大して示す断面図であり、（Ａ）は押締型端子台の断面図であり、（Ｂ）はネジ締型端子台の断面図である。図２の（Ａ）に示す押締型端子台１００において、断面が示されている端子のネジ部１２１の真上の空洞１２２に図１の（Ａ）に示す円板状部材１２がそれぞれ挿入され端子のネジ部１２１に接触するように勘合される。各端子のネジ部１２１の真下に電線１２３が挿入されネジ部１２１の溝１２１ａをマイナスのドライバを用いてネジ部１２１を回転することでネジ部１２１で電線１２３を締付け電線１２３を端子に電気的に接続できる。
【００１９】
図２の（Ｂ）に示すネジ締型端子台２００において、断面が示されている端子のネジ部２２１の真上の空洞２２２に図１の（Ａ）に示す円板状部材１２がそれぞれ挿入され端子のネジ部２２１に接触するように勘合される。各端子のネジ部２２１の真下に電線２２３が挿入されネジ部２２１の溝１２１ａをマイナスのドライバを用いてネジ部２２１を回転することでネジ部２２１で電線２２３を締付け電線２２３を端子に電気的に接続できる。なお、通常この端子台２００はプリント基板２２４上に取付けて使用される。
【００２０】
図３は本発明の第２実施形態に係る端子台用ショートピースを示す図であり、（Ａ）はショートピースを示す図であり、（Ｂ）はショートピースを端子台に取り付ける前の状態を示す図であり、（Ｃ）はショートピースを端子台に取り付けた状態を示す図である。図３において、図１に対応する部分は図１の参照番号に３００を加算して示す。図３の（Ａ）に示す一対の円板状部材３１２の部材間の間隔は、２つの端子間の間隔より所定長だけ大きい。図３の（Ｂ）は図１の（Ａ）と同じ形状を示しているが、図３の（Ｃ）に示すようにショートピース３１２が空洞３２２に勘合されるとき内側に加圧されるので、勘合後は反作用として外側に向かう力Ｆ１が働く点が異なる。このような構成にすることにより、ショートピース３１２の空洞３２２内への勘合を確保できる。
【００２１】
図４は本発明の第３実施形態に係る端子台用ショートピースを示す図であり、（Ａ）はショートピースを示す図であり、（Ｂ）はショートピースを端子台に取り付ける前の状態を示す図であり、（Ｃ）はショートピースを端子台に取り付けた状態を示す図である。図４において、図１に対応する部分は図１の参照番号に４００を加算して示す。図４の（Ａ）に示す一対の円板状部材４１２の部材間の間隔は、２つの端子間の間隔より所定長だけ小さい。図４の（Ｂ）は図１の（Ａ）と同じ形状を示しているが、図４の（Ｃ）に示すようにショートピース４１２が空洞４２２に勘合されるとき外側に加圧されるので、勘合後は反作用として内側に向かう力Ｆ２が働く点が異なる。このような構成にすることにより、ショートピース３１２の空洞３２２内への勘合を確保できる。
【００２２】
図５は本発明の第４実施形態に係る端子台用ショートピースの他の実施形態を示す図であり、（Ａ）はショートピースを示す図であり、（Ｂ）は端子台を示す図であり、（Ｃ）はショートピースを端子台に取り付けた状態を示す図である。図５において、図１に対応する部分は図１の参照番号に５００を加算して示す。図１と異なる点は、図５の（Ａ）および（Ｃ）に示すように、一対の円板状部材５１２に突起部５３０が設けられている点である。この突起部５３０は、端子のネジ部５２１の溝５２１ａに挿入され、ネジ部５２１による円板状部材５１２の保持力を高め、円板状部材５１２とネジ部５２１との間の電気的接触を確実なものにしている。
【００２３】
図６は本発明の第５実施形態に係る端子台用ショートピースのその他の実施形態を示す図であり、（Ａ）はショートピースを示す図であり、（Ｂ）は端子台を示す図であり、（Ｃ）はショートピースを端子台に取り付けた状態を示す図である。図６において、図１に対応する部分は図１の参照番号に６００を加算して示す。図１と異なる点は、図６の（Ａ）および（Ｃ）に示すように、一対の円板状部材６１２に突起部６３０が設けられている点である。この突起部６３０は、円板状部材６１２をネジ部６２１の真上の空洞６２２に挿入する際のガイドとなり、ショートピース６１２を端子のネジ部６２１真上の空洞６２２に挿入し易くする。
【図面の簡単な説明】
【００２４】
【図１】本発明の第１実施形態に係る端子台用ショートピースを示す図であり、（Ａ）はショートピースを示す図であり、（Ｂ）は端子台を示す図であり、（Ｃ）はショートピースを端子台に取り付けた状態を示す図である。
【図２】端子台の一端子を拡大して示す断面図であり、（Ａ）は押締型端子台の断面図であり、（Ｂ）はネジ締型端子台の断面図である。
【図３】本発明の第２実施形態に係る端子台用ショートピースを示す図であり、（Ａ）はショートピースを示す図であり、（Ｂ）はショートピースを端子台に取り付ける前の状態を示す図であり、（Ｃ）はショートピースを端子台に取り付けた状態を示す図である。
【図４】本発明の第３実施形態に係る端子台用ショートピースを示す図であり、（Ａ）はショートピースを示す図であり、（Ｂ）はショートピースを端子台に取り付ける前の状態を示す図であり、（Ｃ）はショートピースを端子台に取り付けた状態を示す図である。
【図５】本発明の第４実施形態に係る端子台用ショートピースの他の実施形態を示す図であり、（Ａ）はショートピースを示す図であり、（Ｂ）は端子台を示す図であり、（Ｃ）はショートピースを端子台に取り付けた状態を示す図である。
【図６】本発明の第５実施形態に係る端子台用ショートピースのその他の実施形態を示す図であり、（Ａ）はショートピースを示す図であり、（Ｂ）は端子台を示す図であり、（Ｃ）はショートピースを端子台に取り付けた状態を示す図である。
【図７】従来技術による押締型端子台の斜視図である。
【図８】従来技術のネジ締型端子台の斜視図である。
【符号の説明】
【００２５】
１    ショートピース
２    端子台
１１    導電性部材
１２    円板状部材
２１    ネジ部
２１ａ    溝
２２    空洞
【図１】
2007329085.tif 000003
【図２】
2007329085.tif 000004
【図３】
2007329085.tif 000005
【図４】
2007329085.tif 000006
【図５】
2007329085.tif 000007
【図６】
2007329085.tif 000008
【図７】
2007329085.tif 000009
【図８】
2007329085.tif 000010